(57)【要約】【課題】滑らかな拡散風を送風することができ、傾動操作時の操作フィーリング感を改善し、風の指向性を向上させることができる丸型のレジスタを提供する。【解決手段】リテーナ１内に円筒フレーム２０を有した回動ルーバー２が回動可能に配設される。回動ルーバー２には放射状に複数の可動フィン２３がラジアル方向の支軸により回動可能に軸支される。操作部６の中心線を軸とする回動操作に応じて、可動フィン２３がベベルギヤ機構を介して、中央軸支部３の軸支部を中心に回動し、操作部６を円筒フレーム２０のラジアル方向に動かしたとき、通風路内で回動ルーバー２が傾動する。通風路内の上流側に円環枠状のリング状フィン１６が通風路の横断方向に配設される。リング状フィン１６には、通風路を通る空気流を、通風路の中心軸側にガイドするテーパ面が設けられる。【選択図】図２
2014091378.tif 000002
【特許請求の範囲】
【請求項１】
円筒型のリテーナ内に円筒フレームを有した回動ルーバーが回動可能に配設され、該回動ルーバーには送風方向と平行な中心線から放射状に複数の可動フィンが該円筒フレームの内側でラジアル方向の支軸により回動可能に軸支されてなるレジスタにおいて、
該円筒フレームの内側に複数の可動フィンが、略等間隔をおいてラジアル方向の支軸により回動可能に軸支され、
該中央軸支部の前面側中央には操作部が該回動ルーバーの中心線の回りで回動可能に装着され、該操作部はベベルギヤ機構を介して該各可動フィンの内側部分と連係され、
該操作部の該中心線を軸とする回動操作に応じて、該可動フィンが該ベベルギヤ機構を介して、該中央軸支部の軸支部を中心に回動し、該操作部を該円筒フレームのラジアル方向に動かしたとき、該リテーナ内の通風路内で該円筒フレームを有した該回動ルーバーが任意の方向に傾動するように構成され、
該通風路内の上流側に円環枠状のリング状フィンが該通風路の横断方向に配設され、該リング状フィンには、該通風路を通る空気流を、該通風路の中心軸側にガイドするように傾斜したテーパ面が設けられたこと特徴とするレジスタ。
【請求項２】
前記リテーナ内の送風方向と平行な中心線上に、ボールを有するボールジョイントが配設され、前記回動ルーバーには、該円筒フレームの中央に、軸支部を外周部に設けた中央軸支部が配設され、該中央軸支部は中央に設けたボール穴を該ボールに嵌合させて、傾動及び回動可能に取り付けられ、該操作部を該円筒フレームのラジアル方向に動かしたとき、該円筒フレームと該リテーナ内面が非接触で、該回動ルーバーは該ボールジョイントに支持された状態で該ボールを中心に傾動すること特徴とする請求項１記載のレジスタ。
【請求項３】
前記回動ルーバーの中央軸支部の外周部には５個の軸支部が等間隔で設けられ、５枚の前記可動フィンがそれらの該軸支部に軸支されて、該回動ルーバーの円筒フレームの内側に該可動フィンが等間隔で配置され、前記円筒フレームの横断面と略平行状態まで該可動フィンが回動したとき該円筒フレーム内を閉鎖すること特徴とする請求項２記載のレジスタ。
【請求項４】
前記ベベルギヤ機構は、駆動側のベベルギヤ部が前記操作部に連結されるとともに前記中央軸支部の中央に突設された中央軸に回動可能に軸支され、従動側のベベルギヤ片が前記各可動フィンの内側元部近傍に一体成形され、駆動側の該ベベルギヤ部と従動側の各該ベベルギヤ片が噛合して構成されたこと特徴とする請求項２記載のレジスタ。
【請求項５】
前記回動ルーバーの円筒フレームは、前円筒フレームと後円筒フレームを嵌着して形成され、該前円筒フレームにはその横断面に沿って格子部が設けられ、該格子部の前面に前記操作部が回動可能に支持されるとともに前記ベベルギヤ機構に該操作部の中央部が連結されたことを特徴とする請求項３記載のレジスタ。
【発明の詳細な説明】
【技術分野】
【０００１】
本発明は、主に自動車などの空調装置の空気吹出調整用に使用されるレジスタに関し、特に円筒状のリテーナと略円形の空気吹出口を有する丸型のレジスタに関する。
【背景技術】
【０００２】
従来、円形の空気吹出口を有する丸型のレジスタとして、円筒フレーム内に送風方向に沿った中心軸の回りで回動可能な丸型の回動ルーバーを備えたレジスタが、下記特許文献１などにより知られている。
【先行技術文献】
【特許文献】
【０００３】
【特許文献１】実公平３−２７２３７号公報
【発明の概要】
【０００４】
このレジスタは、図１３に示すように、内側に球面を有する円筒形の外枠７１を有し、その外枠７１の内側に、外側球面を有する内枠７２を、回動及び傾動可能に嵌め込み、内枠７２内には４枚の可動羽根７３を中心軸７４の周囲に放射状に配置した回動ルーバーが配設され、回動ルーバーの各可動羽根７３は、内枠７２のラジアル方向の支軸７３ａの回りで回動可能に軸支されて構成される。
【０００５】
さらに、このレジスタは、中心軸７４の末端及び各可動羽根７３の支軸７３ａの内側端にベベルギヤが設けられ、中心軸７４の末端に設けたベベルギヤと各可動羽根７３のベベルギヤが噛合し、中心軸７４の先端に設けた摘み７５を回すと、ベベルギヤを介して各可動羽根７３がその支軸７３ａを軸に回動する構造となっている。
【０００６】
レジスタの使用時に、中心軸先端の摘み７５を回すと、ベベルギヤを介して４枚の可動羽根７３がラジアル方向の支軸を中心に回動し、４枚の可動羽根７３が送風方向と平行な場合、レジスタの空気吹出口７６から送風される風が、可動羽根７３によって、中央に収束されるが、４枚の可動羽根７３が各支軸７３ａを軸に傾動すると、送風される空気流は空気吹出口７６の周囲に拡散するように流れる。さらに、各可動羽根７３を流路の横断面と平行な状態まで回動させた場合、レジスタの流路を遮断し送風を止めるようになっている。
【発明が解決しようとする課題】
【０００７】
しかし、この従来のレジスタは、風向を変える場合、摘み７５を持って内枠７２を、外枠７１に対し上下左右等の任意の方向に傾動（回動）させると、可動ルーバーが内枠７２とともに傾動し、風向が調整されるが、このとき、外枠７１に対し傾動（回動）する内枠７２は、その外側球面が外枠７１の内側球面と比較的広い面積で接触して回転する。
【０００８】
合成樹脂の型成形により部品が成形されるレジスタでは、通常、製品ごとの各部品の寸法に公差内誤差があり、球面の接触で回動可能に支持される、レジスタの可動ルーバーの構造では、レジスタの製品ごとの各球面形状の公差内寸法誤差により、回転時の摩擦抵抗にばらつきが発生する。
【０００９】
このため、外枠７１と内枠７２間の隙間が比較的大きく、その間の摩擦抵抗が小さい場合、内枠７２の傾動操作が軽くなりすぎ、送風時の風圧によっても、内枠７２の向きが変化しやすく、一方、逆に外枠７１と内枠７２間の隙間が小さくその間の摩擦抵抗が大きい場合、内枠の傾動操作は重くなって、操作しにくくなる。
【００１０】
そこで、外枠７１の内側球面と内枠７２の外側球面との間に、不織布などの摺動シートを介装し、公差内寸法誤差による摩擦抵抗のばらつきを吸収して、回動操作時に安定した操作荷重を付与することが行なわれているが、外枠７１の内側球面と内枠７２の外側球面間の、比較的広い接触面に不織布などの摺動シートを介在させた場合、内枠７２の回動操作時、その操作角度に応じて操作荷重が変わり、或いはゴリゴリ感が発生し、風向調整時の操作フィーリングが悪化しやすいという課題があった。
【００１１】
また、従来の上記レジスタは、４枚の可動羽根７３をラジアル方向の支軸７３ａの回りで回動させることにより、送風を収束から拡散まで調整することができるものの、送風を中央に収束した状態で、内枠７２を左右上下に傾動させて風向を振った場合、図１３のように、内枠７２の内側面に沿って流れる風が、外枠７１の空気吹出口７６の内側縁部に当たり、中央を流れる主流風側に向かうため、主流風の指向性が悪化し易いという課題があった。
【００１２】
本発明は、上述の課題を解決するものであり、滑らかな拡散風を送風することができ、傾動操作時の操作フィーリング感を改善し、風向を振ったときの風の指向性を向上させることができる丸型のレジスタを提供することを目的とする。
【課題を解決するための手段】
【００１３】
上記目的を達成するために、本発明のレジスタは、
円筒型のリテーナ内に円筒フレームを有した回動ルーバーが回動可能に配設され、該回動ルーバーには送風方向と平行な中心線から放射状に複数の可動フィンが該円筒フレームの内側でラジアル方向の支軸により回動可能に軸支されてなるレジスタにおいて、
該円筒フレームの内側に複数の可動フィンが、略等間隔をおいてラジアル方向の支軸により回動可能に軸支され、
該中央軸支部の前面側中央には操作部が該回動ルーバーの中心線の回りで回動可能に装着され、該操作部はベベルギヤ機構を介して該各可動フィンの内側部分と連係され、
該操作部の該中心線を軸とする回動操作に応じて、該可動フィンが該ベベルギヤ機構を介して、該中央軸支部の軸支部を中心に回動し、該操作部を該円筒フレームのラジアル方向に動かしたとき、該リテーナ内の通風路内で該円筒フレームを有した該回動ルーバーが任意の方向に傾動するように構成され、
該通風路内の上流側に円環枠状のリング状フィンが該通風路の横断方向に配設され、該リング状フィンには、該通風路を通る空気流を、該通風路の中心軸側にガイドするように傾斜したテーパ面が設けられたこと特徴とする。
【００１４】
この発明のレジスタによれば、送風を中央に収束した状態で、円筒フレームを有する回動ルーバーを左右上下に傾動させて、風向を任意の方向に振った場合、通風路を通る風は、リング状フィンのテーパ面によって、通風路の中心軸側にガイドされるので、空気吹出口から吹き出される風は通風路の中央軸近傍に良好に収束される。したがって、風向を任意の方向に振ったときでも、内壁近傍を流れる風は空気吹出口の内側縁部に当たらずに、中央を流れる送風主流側に向うため、送風時の指向性を向上させることができる。
【００１５】
また、レジスタが斜め上方を向けて取り付けられた場合、コインなどの異物を空気吹出口に落としたときには、異物が送風ダクト内に落下しやすいが、リング状フィンが通風路の横断方向に配設されるので、リング状フィンによって異物の落下を防止することができる。
【００１６】
ここで、上記レジスタにおいて、リテーナ内の送風方向と平行な中心線上に、ボールを有するボールジョイントが配設され、該回動ルーバーには、該円筒フレームの中央に、軸支部を外周部に設けた中央軸支部が配設され、該中央軸支部は中央に設けたボール穴を該ボールに嵌合させて、傾動及び回動可能に取り付けられ、該操作部を該円筒フレームのラジアル方向に動かしたとき、該円筒フレームと該リテーナ内面が非接触で、該回動ルーバーは該ボールジョイントに支持された状態で該ボールを中心に傾動するように構成することができる。
【００１７】
この発明によれば、回動ルーバーの中央の操作部を持って回動ルーバーを任意の方向に傾動操作したとき、回動ルーバーは、該円筒フレームと該リテーナ内面が非接触で、該ボールジョイントに支持された状態でボールを中心に傾動するので、従来のレジスタのように、外枠の内側球面と内枠の外側球面の接触による回動支持に比して、製品ごとの寸法誤差に起因した操作荷重のばらつきやゴリゴリ感は発生せず、安定した滑らかな操作フィーリングで回動ルーバーを傾動させて風向を変えることができる。
【００１８】
また、上記レジスタにおいて、上記回動ルーバーの中央軸支部の外周部には５個の軸支部を等間隔で設け、５枚の可動フィンをそれらの軸支部に軸支させ、回動ルーバーの円筒フレームの内側に該可動フィンを等間隔で配置し、上記円筒フレームの横断面と略平行状態まで該可動フィンが回動したとき該円筒フレーム内を閉鎖するように構成することができる。
【００１９】
これによれば、従来のレジスタで使用されていた４枚の可動羽根の大きさに比して、可動フィンの大きさを小形にすることができる。このため、可動フィンをボールジョイントに干渉させずに、広い範囲で回動ルーバーを傾動させることができ、リテーナの長さをより短くすることができ、これによって、レジスタの設置スペースの省スペース化を図ることができる。
【００２０】
さらに、上記ベベルギヤ機構は、駆動側のベベルギヤ部が上記操作部に連結されるとともに上記中央軸支部の中央に突設された中央軸に回動可能に軸支され、従動側のベベルギヤ片が上記各可動フィンの内側元部近傍に一体成形され、駆動側のベベルギヤ部と従動側の各ベベルギヤ片を噛合して構成することができる。これによれば、従動側のベベルギヤ片が各可動フィンの内側部分に一体成形されるので、部品点数を削減できるとともに、部品の組付工数を少なくすることができる。
【００２１】
また、上記回動ルーバーの円筒フレームは、前円筒フレームと後円筒フレームを嵌着して形成され、該前円筒フレームにはその横断面に沿って格子部が設けられ、該格子部の前面に上記操作部が回動可能に支持されるとともに上記ベベルギヤ機構に該操作部の中央部が連結される構成とすることができる。
【発明の効果】
【００２２】
本発明のレジスタによれば、滑らかな拡散風を送風することができるとともに、円滑な傾動操作を可能とし、傾動操作時の操作フィーリング感を改善し、円筒フレームを有する回動ルーバーを傾動させて風向を振ったときの風の指向性を向上させることができる。
【図面の簡単な説明】
【００２３】
【図１】本発明の一実施形態を示すレジスタの正面図である。
【図２】同レジスタのII-II断面図である。
【図３】同レジスタのIII-III断面図である。
【図４】レジスタの左側面図である。
【図５】図４のV-V断面図である。
【図６】図４のVI-VI断面図である。
【図７】正面側から見たレジスタの斜視図である。
【図８】背面側から見たレジスタの斜視図である。
【図９】回動ルーバーを上に振ったときの断面図である。
【図１０】回動ルーバーを下に振ったときの断面図である。
【図１１】他の実施形態を示し、図３のIII-III断面図に対応した断面図である。
【図１２】他の実施形態の回動ルーバーを上に振ったときの断面図である。
【図１３】従来の丸型レジスタの縦断面図である。
【発明を実施するための形態】
【００２４】
以下、本発明の一実施形態を図面に基づいて説明する。図１は自動車の車室内に設けられる空調装置用の丸型レジスタの正面図を示し、図２、３は同レジスタの断面図を示している。このレジスタは、概略的には、図に示す如く、円筒型のリテーナ１内に円筒フレーム２０を有した回動ルーバー２が回動可能に配設され、回動ルーバー２には送風方向と平行な中心線Ｓ１から放射状に、５枚の可動フィン２３が、円筒フレーム２０の内側で放射状の軸支部４によって、回動可能に軸支される。リテーナ１内には通風路１５が形成され、リテーナ１はその前後部で開口している。
【００２５】
図２，３，８に示すように、リテーナ１内の後部（背面部、上流側）には、支持枠１２が放射状に設けられ、支持枠１２の中央部にボールジョイント支持部１１が設けられ、ボールジョイント支持部１１の軸方向に穿設された軸孔に、ボールジョイント８の軸部８２が嵌め込まれて取り付けられる。ボールジョイント８は、図５などに示すように、円筒フレーム２０と５枚の可動フィン２３を有した回動ルーバー２を、レジスタの中心線Ｓ１上で支持し、中心線Ｓ１を中心に上下左右等に傾動可能に支持する構造となっている。
【００２６】
さらに、図２，３，８に示すように、リテーナ１内の背面部近傍には、ボールジョイント支持部１１と支持枠１２の間に、円環枠状のリング状フィン１６が通風路１５を横断する形態で設けられる。このリング状フィン１６は、表面にテーパ面１６ａを有し、送風を中央に収束した状態つまり可動フィン２３を送風方向と平行な状態とし、且つ回動ルーバー２及び円筒フレーム２０を左右上下に傾動させて風向を振ったとき、通風路１５を通る風が、リング状フィン１６の表面のテーパ面１６ａに当たって、通風路１５の中心軸側にガイドされるように設けられている。リング状フィン１６のテーパ面１６ａは、図２，３に示すように、正面視で、リング状フィン１６の内径が下流側に向けて縮小するように、傾斜して形成されている。
【００２７】
また、このリング状フィン１６は、コインなどの異物を空気吹出口９ｂ内に落としたとき、その落下を防止する異物落下防止用枠としての機能をも有している。つまり、レジスタが斜め上方を向けて取り付けられた場合、コインなどの異物を空気吹出口９ｂに落としたときには、異物がレジスタ内から送風ダクト内に落下しやすいが、リング状フィン１６が支持枠１２とともに通風路１５の横断方向に配設されるので、リング状フィン１６と支持枠１２によって、異物の落下を防止することができる。
【００２８】
このように、リテーナ１内のリング状フィン１６は、異物落下防止用の枠として機能するとともに、風を通風路１５の中央軸に沿って収束送風し且つ風向を振ったとき、図９，１０のように、空気吹出口９ｂの内側に沿った空気流を剥がし、ベゼル９の空気吹出口９ｂの内側縁部で、反り返る風（中心側に曲げられる風）を防止して、収束送風時の指向性を向上させるようになっている。
【００２９】
リテーナ１の前部（下流側）外周部には、ベゼル９を嵌着するために、複数の係止部１３が設けられ、係止部１３にはベゼル９の係止爪９ａが係止される。ベゼル９は、円環状に形成されてその円形開口部が空気吹出口９ｂを形成し、内側に回動ルーバー２を配設した状態で、リテーナ１の前部に嵌着される。
【００３０】
回動ルーバー２は、図２、５に示すように、円筒フレーム２０内に５枚の可動フィン２３を放射状に配設し、円筒フレーム２０の前円筒フレーム２１の中央に操作部６を回動可能に軸支し、操作部６の回動操作に応じて、５枚の可動フィン２３を、中央軸支部３の軸支部４の回りで回動させるとともに、各可動フィン２３を、ラジアル方向の軸支部４に軸支された支軸２４ａ，２４ｂを中心に、傾動（回動）させるように構成される。また、回動ルーバー２は、中央に配置した中央軸支部３が、外周部に５個の軸支部４を等間隔（約７２°の角度間隔）で配置し、５枚の可動フィン２３をそれらの軸支部に軸支させ、回動ルーバー２の円筒フレーム２０の内側に等間隔で配置するようになっている。
【００３１】
回動ルーバー２の可動フィン２３は、回動操作時、閉鎖方向の回動端で、リテーナ１内の通風路１５の横断方向と平行状態まで回動し、５枚の可動フィン２３によって円筒フレーム２０内つまり通風路１５を、図５のように全閉状態とするようになっている。
【００３２】
このような回動ルーバー２を有したレジスタは、リテーナ１内に回動可能に収納され、その前部にベゼル９が嵌着される。この状態で、リテーナ１内における、回動ルーバー２の円筒フレーム２０は、その外周面とリテーナ１の内周面との間に僅かな隙間をもって回動可能に配設され、その状態で、リテーナ１の前部にベゼル９が嵌着される。
【００３３】
上記のように、回動ルーバー２を支持するボールジョイント８は、リテーナ１内の送風方向と平行な中心線Ｓ１上に、ボールジョイント支持部１１にその軸部８２を挿入して配設されるが、軸部８２の前側先端にボール８１が設けられ、そのボール８１には、荷重付与部材７を介して、中央軸支部３の中央のボール穴４１（図３，５）が傾動及び回動可能に嵌合させる。
【００３４】
荷重付与部材７は、熱可塑性エラストマーなどのゴム状弾性体によってカップ状に形成され、中央軸支部３の中央のボール穴４１に嵌入され、その内側に、ボールジョイント８のボール８１が嵌入される。これにより、回動ルーバー２は、リテーナ１の通風路１５内で、ボールジョイント８のボール８１中心を軸に、荷重付与部材７を介して傾動及び回動可能に装着される。
【００３５】
回動ルーバー２は、図２、５などに示すように、円筒フレーム２０の中央に中央軸支部３を配設し、中央軸支部３の外周部に５個の軸支部４を等間隔で設けて構成され、図５のように、中央軸支部３には、その外周部に５個の軸穴が等間隔（約７２°の角度間隔）で設けられ、さらにその中央軸方向には、中央軸３１が突設される。
【００３６】
このように、ボールジョイント８のボール８１が荷重付与部材７のボール穴内に適度な摩擦抵抗をもって嵌入され、中央軸支部３がその中央のボール穴４１を、荷重付与部材７を介してボールジョイント８のボール８１に嵌合させているので、回動ルーバー２は、ボール８１の中心を回動中心点として、適度な操作荷重をもって、上下左右等の任意の方向に傾動可能とされ、且つ中心線Ｓ２の回りで回動可能である。
【００３７】
このような回動ルーバー２は、各可動フィン２３をその軸支部４の支軸２４ａ，２４ｂの回りで回動させたとき、その回動端で可動フィン２３のフィン本体２６が円筒フレーム２０の横断面と略平行状態となって、通風路１５を全閉状態とし、送風を遮断する。そのために、５枚の可動フィン２３のフィン本体２６は、通風路１５の通風方向と直角な横断面に並置状態となってとき、全閉可能な形状及び大きさとなっている。
【００３８】
つまり、回動ルーバー２が、５枚の可動フィン２３を通風方向と直角な横断面と平行な状態まで回動させたとき、通風路１５を全閉状態とする形状及び大きさに可動フィン２３は形成される。このように、回動ルーバー２は、５枚の可動フィン２３を並置するため、４枚の可動フィンの場合より、可動フィン２３のフィン本体２６の大きさを小形化することができる。これにより、回動ルーバー２は、上下左右等への傾動時、可動フィン２３をボールジョイント８に干渉させずに、所定の最大角度まで傾動することができる。
【００３９】
また、回動ルーバー２の可動フィン２３を５枚とした場合、各可動フィン２３をその支軸２４ａ，２４ｂを軸に回動させて送風を拡散させたとき、従来のように４枚の可動フィンを配設した回動ルーバーの場合より、送風時の風の拡散は、より高い効率で行なわれ、空気吹出口の周囲に、効率良く拡散されたマイルドな風を送風できるようになっている。
【００４０】
さらに、上記のように、可動フィン２３の小形化に伴い、可動フィン２３が通風路１５の軸方向（送風方向）と平行になった状態の軸方向の長さを短くすることができる。このため、リテーナ１の長さを、従来の４枚の可動フィンのレジスタより、短くすることができ、これにより、レジスタの設置スペースを省スペース化することができるようになっている。
【００４１】
レジスタの操作部６は、図１，２などに示す如く、ツマミ形状の操作ダイヤル６１を有して形成され、回動ルーバー２の円筒フレーム２０の前部の格子部２１ａの中央に、回動操作可能に装着される。格子部２１ａの中央には、軸受孔が設けられ、その軸受孔に操作ダイヤル６１の軸部が回動可能に嵌入される。操作ダイヤル６１の軸部には軸孔が設けられ、その軸孔にベベルギヤ機構５のベベルギヤ部５１の軸部が挿通され、操作部６はその軸部に嵌合して取り付けられる。これにより、操作部６を回動操作すると、ベベルギヤ機構５のベベルギヤ部５１が回動する構造となっている。また、図２に示すように、操作部６はベゼル９の空気吹出口９ｂより少し前方に突出して設けられる。これにより、使用時、使用者は操作部６を容易に持って傾動操作または回動操作することができる。
【００４２】
ベベルギヤ機構５のベベルギヤ部５１は、中央軸支部３の中央軸３１を軸に回動し、中央軸支部３の軸支部４の各軸穴に軸支された各可動フィン２３の内側端部に設けたベベルギヤ片２５が、このベベルギヤ部５１と噛合する。このため、操作部６を回動操作すると、ベベルギヤ部５１を介してベベルギヤ片２５が従動して回動し、回動ルーバー２の各可動フィン２３は、その支軸２４ａ，２４ｂを軸に回動する。つまり、ベベルギヤ機構５は、駆動側のベベルギヤ部５１と従動側のベベルギヤ片２５とを噛合して構成され、駆動側のベベルギヤ部５１の中央に中央軸３１が突設され、中央軸３１は操作部６の中央に連結される。
【００４３】
また、ベベルギヤ機構５の駆動側のベベルギヤ部５１は、中央軸支部３の中央に突設された中央軸３１に回動可能に支持される。駆動側のベベルギヤ部５１と噛合する従動側のベベルギヤ片２５は、図２に示すように、各可動フィン２３の内側部分に一体成形されている。つまり、各可動フィン２３は、その内側端部に設けた支軸２４ｂを、中央軸支部３の外周部の軸支部４の軸穴に嵌入し、従動側のベベルギヤ片２５は可動フィン２３の内側部分に一体成形される。また、各可動フィン２３の回動範囲は約９０°であるため、ベベルギヤ片２５は円環ホイール状に形成する必要はなく、約１８０°の角度範囲つまり略半円形の歯部として形成される。
【００４４】
上記構成により、駆動側のベベルギヤ部５１が操作部６の回動操作により回動したとき、従動側の各ベベルギヤ片２５がその支軸２４ｂを中心に約９０°の範囲で回転し、これにより可動フィン２３が、中央軸支部３の外周部の軸支部４の回りで、回動ルーバー２の中心線Ｓ２と平行な状態から中心線Ｓ２と垂直な垂直面と平行な状態（流路の遮断状態）まで回動することとなる。また、上記のように、操作部６の操作ダイヤル６１を持って、回動ルーバー２を上下左右などの任意の方向に傾動操作し、或いは回動操作したとき、回動ルーバー２はボールジョイント８のみで支持された状態で任意の方向に傾動または回動する構造となっている。
【００４５】
上記構成のレジスタは、例えば自動車のインストルメントパネルに設けられた空調装置の空気吹出口等に装着して使用される。レジスタの送風方向を変える場合、操作部６の操作ダイヤル６１を持って回動ルーバー２を傾動操作或いは回動操作して行なう。操作ダイヤル６１はベゼル９の空気吹出口９ｂより少し前方に突出して配設されるため、使用者は容易に操作ダイヤル６１を持って傾動操作或いは回動操作が可能である。
【００４６】
図２に示すように、回動ルーバー２がレジスタの正面前方に真直ぐな状態にあるとき、つまり、回動ルーバー２の可動フィン２３が通風路１５の軸方向に沿った中心線Ｓ２と平行な状態にあるとき、空気流は回動ルーバー２の可動フィン２３にガイドされて前方に真直ぐ送風され、このとき、前方の比較的狭い範囲に集中（収束）して送風が行なわれる。
【００４７】
この状態で、風向を斜め上方に向ける場合、操作部６を持って持ち上げるように操作すると、図９のように、操作部６及び円筒フレーム２０を含む回動ルーバー２がボールジョイント８のボール８１を中心に上側に回動（傾動）し、リテーナ１の中心線Ｓ１に対し回動ルーバー２の中心線Ｓ２が図９のように上側に傾斜し、これにより、送風方向は斜め上方に向けられる。
【００４８】
一方、風向を斜め下方に向ける場合、操作部６を持って下側に操作すると、図１０のように、操作部６及び円筒フレーム２０を含む回動ルーバー２がボールジョイント８のボール８１を中心に下側に回動（傾動）し、リテーナ１の中心線Ｓ１に対し回動ルーバー２の中心線Ｓ２が図１０のように下側に傾斜し、これにより、送風方向は斜め下方に向けられる。また、風向を斜め左右方向に向ける場合も同様に、操作部６の操作によって円筒フレーム２０を含む回動ルーバー２を左右に傾動させ、送風方向を変えることができる。
【００４９】
このように操作部６を持って回動ルーバー２を上下左右に振った場合、リテーナ１内の通風路１５内に送られた空気流は、リング状フィン１６のテーパ面１６ａによりガイドされて、中央近傍に集められ収束されて送風されることとなる。これにより、リテーナ１内の内壁に沿って流れる空気流は、剥離されるように中央部近傍に集められて、回動ルーバー２の中心線Ｓ２に向かう送風主流に合流し、良好な指向性を持って任意の方向に送風することができる。
【００５０】
一方、空気吹出口９ｂの前方の周囲における比較的広い範囲に、拡散して送風する場合、操作部６を持って中心線Ｓ２を軸に捻るように右または左に回す。
【００５１】
このとき、操作部６の回動力はベベルギヤ機構を介してベベルギヤ部５１に伝達され、ベベルギヤ部５１が回転し、その回転がベベルギヤ部５１と噛合する５枚の可動フィン２３のベベルギヤ片２５に伝達され、５枚の可動フィン２３はその支軸２４ａ，２４ｂを軸に回動し、各可動フィン２３のフィン本体２６が通風路１５の横断面に沿ったラジアル方向の軸の回りで回動する。
【００５２】
これにより、空気流は、回動ルーバー２を通過する際、回動ルーバー２の中心線Ｓ２の回りで旋回するように周囲に広って送風され、空気吹出口９ｂの周囲に拡散するように送風される。またこのとき、送風は空気吹出口の内側に配置された５枚の可動フィン２３により、周囲にガイドされて拡散されるので、従来の４枚の可動フィンの場合に比べ、よりマイルドな風を送風することができる。
【００５３】
一方、送風を遮断する場合には、操作部６をさらに右または左に回動端まで回す。これにより、回動ルーバー２の各可動フィン２３は、支軸２４ａ，２４ｂを軸に、中心線Ｓ１，Ｓ２と垂直な垂直面と平行な状態（流路の遮断状態）まで回動し、これによって通風路１５は図５に示すように全閉状態となり、送風は遮断される。
【００５４】
上述の如く、操作部６の傾動操作により、回動ルーバー２は、円筒フレーム２０とリテーナ１内面が非接触で、ボールジョイント８のみに支持された状態で、ボール８１を中心に傾動するので、従来のレジスタのように、外枠の内側球面と内枠の外側球面の接触による回動支持に比して、製品ごとの寸法誤差に起因した操作荷重のばらつきやゴリゴリ感は発生せず、安定した滑らかな操作フィーリングで回動ルーバー２を傾動させて風向を変えることができる。
【００５５】
また、ボールジョイント８のボール８１と中央軸支部３のボール穴４１間に、カップ状の荷重付与部材７を介装しているので、この荷重付与部材７により適度な操作荷重（摩擦抵抗）付与され、より安定した操作荷重で且つ滑らかな操作フィーリングをもって、回動ルーバー２を傾動操作することができる。
【００５６】
図１１，１２は他の実施形態のレジスタの断面図を示している。このレジスタは、リテーナ１内の上流側に配設されるリング状フィン９６が、上記リング状フィン１６とは逆に、そのテーパ面９６ａが正面視で下流側に広がるように傾斜して形成されている。なお、このレジスタのリング状フィン９６以外の構成は、上記実施形態のレジスタと同様であり、図１１，１２に上記と同じ符号を付してその説明を省略する。
【００５７】
図１２に示すように、リング状フィン９６をリテーナ１内の上流側に配設したレジスタでは、風向を斜め上方に向ける場合、操作部６を持って上側に操作すると、操作部６及び円筒フレーム２０を含む回動ルーバー２がボールジョイント８のボール８１を中心に上側に回動（傾動）する。これにより、リテーナ１の中心線Ｓ１に対し回動ルーバー２の中心線Ｓ２が図１２のように上側に傾斜し、これにより、送風方向は斜め上方に向けられる。
【００５８】
このとき、リテーナ１内の通風路１５内に送られた空気流は、リング状フィン９６のテーパ面９６ａまたはテーパ面の縁部に当ることとなるが、その縁部に当たった空気流は、通風路の中央側に曲げられる。これにより、空気流は、回動ルーバー２の中央近傍に集められ、収束されて送風されることとなる。したがって、上記と同様に、回動ルーバー２を上下左右に振った場合、リテーナ１内の内壁に沿って流れる空気流は、リング状フィン９６によって、剥離されるように中央部近傍に集められ、回動ルーバー２の中心線Ｓ２に向かう送風主流に合流し、良好な指向性を持って任意の方向に送風することができる。
【００５９】
なお、上記実施形態の回動ルーバー２には、５枚の可動フィン２３を設けたが、例えば、可動フィンの数を３枚或いは６枚とすることもできる。また、上記操作部６は円環状としたが、別の多角形などの形状にすることもできる。
【符号の説明】
【００６０】
１      リテーナ
２      回動ルーバー
３      中央軸支部
４      軸支部
５      ベベルギヤ機構
６      操作部
７      荷重付与部材
８      ボールジョイント
９      ベゼル
９ａ    係止爪
９ｂ    空気吹出口
１１    ボールジョイント支持部
１２    支持枠
１３    係止部
１５    通風路
１６    リング状フィン
１６ａ  テーパ面
２０    円筒フレーム
２１    前円筒フレーム
２１ａ  格子部
２３    可動フィン
２４ａ  支軸
２４ｂ  支軸
２５    ベベルギヤ片
２６    フィン本体
３１    中央軸
４１    ボール穴
５１    ベベルギヤ部
６１    操作ダイヤル
８１    ボール
８２    軸部
９６    リング状フィン
９６ａ  テーパ面
【図１】
2014091378.tif 000003
【図２】
2014091378.tif 000004
【図３】
2014091378.tif 000005
【図４】
2014091378.tif 000006
【図５】
2014091378.tif 000007
【図６】
2014091378.tif 000008
【図７】
2014091378.tif 000009
【図８】
2014091378.tif 000010
【図９】
2014091378.tif 000011
【図１０】
2014091378.tif 000012
【図１１】
2014091378.tif 000013
【図１２】
2014091378.tif 000014
【図１３】
2014091378.tif 000015